(57)【要約】【課題】着衣状態でカバー着用の有無がわかりにくく、着衣状態での見栄えに優れる尿吸収パッド保持カバーを提供する。【解決手段】尿吸収パッド２を着用するのに用いられる尿吸収パッド保持カバー１である。カバー本体３は、第１部分３Ａと第２部分３Ｂとが中間下側部分を挟んで連続して繋がっている。第１部分３Ａの左側縁と第２部分３Ｂの左側縁との間および第１部分３Ａの右側縁と第２部分３Ｂの右側縁との間にそれぞれ、ファスナー４，５が設けられ、それらを結合することで上部に腰部周り開口部が、下部に２つの脚周り開口部が形成される。前記第１部分の下側部分から前記第２部分の下側部分にかけて尿吸収パッド２を保持可能である。【選択図】図２
2014117352.tif 000002
【特許請求の範囲】
【請求項１】
尿吸収パッドを着用するのに用いられる尿吸収パッド保持カバーであって、
前記カバー本体は、主として使用者の前側部分を覆う第１部分と、主として使用者の後側部分を覆う第２部分とが下側中央部分で連続して一体に繋がっているものであり、
前記第１部分の左側縁と前記第２部分の左側縁との間、および前記第１部分の右側縁と前記第２部分の右側縁との間を突き合わせ状態で結合可能である結合手段にてそれぞれ結合することで上部に腰部周り開口部が、下部であって前記下側中央部分の両側に２つの脚周り開口部が形成されるようになっており、
前記第１部分の下側中央部分から前記第２部分の下側中央部分にかけて尿吸収パッドを保持可能であることを特徴とする尿吸収パッド保持カバー。
【請求項２】
前記結合手段は、ファスナーである請求項１に記載の尿吸収パッド保持カバー。
【請求項３】
前記ファスナーは、ロック機能付きである請求項１または２に記載の尿吸収パッド保持カバー。
【請求項４】
前記第１部分および前記第２部分の上側部分に前側および後側保持部がそれぞれ形成され、
前記前側および後側保持部に保持される前側および後側帯あるいは紐は、それらの端部どうしを結ぶことで前記腰部周り開口部の大きさを調整するようになっている請求項１〜３のいずれか１つに記載の尿吸収パッド保持カバー。
【請求項５】
前記結合手段による結合部分の上端部分は、前記前側帯あるいは紐と後側帯あるいは紐との結び目によって覆われている請求項４記載の尿吸収パッド保持カバー。
【発明の詳細な説明】
【技術分野】
【０００１】
本発明は、介護などにおいて用いられる、尿吸収パッドの交換を容易とする尿吸収パッド保持カバーに関するものである。
【背景技術】
【０００２】
尿吸収パッド保持カバー（おしめカバー）は、使用者の腰部、臀部および腹部に対応する部分を有するカバー本体を有し、このカバー本体に尿吸収パッドを配置した後、使用者に着用させるものである。このようなパッド保持カバーは、通常、カバー本体上部の左右舌片部どうしを面ファスナーで接合するとともに、カバー本体下部を、前記左右舌片どうしを接合したカバー本体上部の外側に面ファスナーにて接合して、パンツ形状として用いられている（例えば、特許文献１）。
【先行技術文献】
【特許文献】
【０００３】
【特許文献１】特開２００１−３５３１８３号公報
【発明の概要】
【発明が解決しようとする課題】
【０００４】
特許文献１に記載のものは、使用者の腹部前側にて部分的に重ね合わせて面ファスナーなどで接合することから、その重ね合わせにより使用者の腹部付近が膨れるので、パッド保持カバーの上側に着る洋服（例えばスラックスなど）は大きめのサイズのものを使用する必要がある。そのため、例えば高齢者などの大人が使用する場合には、着衣状態では、パッド保持カバーを着用していることを推測でき、着衣状態での見栄えが悪い。
【０００５】
本発明は、着衣状態でカバー着用の有無がわかりにくく、着衣状態での見栄えに優れる尿吸収パッド保持カバーを提供することを目的とする。
【課題を解決するための手段】
【０００６】
請求項１の発明は、尿吸収パッドを着用するのに用いられる尿吸収パッド保持カバーであって、前記カバー本体は、主として使用者の前側部分を覆う第１部分と、主として使用者の後側部分を覆う第２部分とが下側中央部分で連続して一体に繋がっているものであり、前記第１部分の左側縁と前記第２部分の左側縁との間、および前記第１部分の右側縁と前記第２部分の右側縁との間を突き合わせ状態で結合可能である結合手段にてそれぞれ結合することで上部に腰部周り開口部が、下部であって前記下側中央部分の両側に２つの脚周り開口部が形成されるようになっており、前記第１部分の下側中央部分から前記第２部分の下側中央部分にかけて尿吸収パッドを保持可能であることを特徴とする。
【０００７】
このようにすれば、カバー本体の第１部分の左側縁と第２部分の左側縁との間および前記第１部分の右側縁と前記第２部分の右側縁との間を、突き合わせ状態で結合可能である結合手段にて結合しているので、着用した状態で使用者の前側部分が膨れることがない。つまり、第１部分の左側縁と第２部分の左側縁とを突き合わせ、第１部分の右側縁と第２部分の右側縁とを突き合わせ、結合手段にて突き合わせ部分を結合することで着用するようになっているので、従来のパッド保持カバーのようにカバーの一部を部分的に重ね合わせて着用するということがなく、重ね合わせ部分があることにより使用者の前側部分（特に使用者の腹部付近）が膨れることがない。よって、通常の下着を着用しているのと外観上ほとんど変わりがない。そのため、パッド保持カバーを着用し、その上側にスラックスなどの衣服を着ても、使用者の前側部分が膨れるということがなく、外観上カバー着用の有無がわかりにくく、着衣状態での見栄えをよくすることができる。
【０００８】
請求項２に記載のように、前記結合手段は、ファスナーとすることが望ましい。
【０００９】
このようにすれば、結合部分が膨れてかさばることもなく、面ファスナ−等に比べて耐久性にも優れ、また、取扱いが容易である。
【００１０】
請求項３に記載のように、前記ファスナーは、ロック機能付きであることが望ましい。
【００１１】
このようにすれば、鍵がなければ、ロックを解除してファスナーのスライダーを下げることができない。よって、痴呆症の患者などに着用させても、勝手にパッド保持カバーを取り外すのを回避することができる。
【００１２】
請求項４に記載のように、前記第１部分および前記第２部分の上側部分に前側および後側保持部がそれぞれ形成され、前記前側および後側保持部に保持される前側および後側帯あるいは紐は、それらの端部どうしを結ぶことで前記腰部周り開口部の大きさを調整する構成とすることができる。
【００１３】
このようにすれば、腰部周り開口部の大きさを、使用者の腰部回りのサイズに合わせて無段階に調整することができる。
【００１４】
この場合、請求項５に記載のように、前記結合手段による結合部分の上端部分は、前記前側帯あるいは紐と後側帯あるいは紐との結び目によって覆われていることが望ましい。
【００１５】
このようにすれば、ファスナーによる結合部分の上端（例えば上止め、スライダー）を結び目で隠すことができるので、ファスナーによる結合であることが一見してわかりにくく、着用した状態での見栄えが向上する。
【発明の効果】
【００１６】
本発明は、カバー本体の第１部分の左側縁と第２部分の左側縁との間および前記第１部分の右側縁と前記第２部分の右側縁との間を、突き合わせ状態で結合可能である結合手段にて結合しているので、着用した状態で使用者の前側部分が膨れることがなく、着衣状態での見栄えを高める上で有利である。
【図面の簡単な説明】
【００１７】
【図１】本発明の一実施形態である尿吸収パッド保持カバーを示す正面図である。
【図２】前記尿吸収パッド保持カバーにおいて第１部分を開放した状態の正面図である。
【図３】他の実施形態である尿吸収パッド保持カバーについての図１と同様の図である。
【図４】他の実施形態である尿吸収パッド保持カバーについての図２と同様の図である。
【図５】（ａ）（ｂ）はそれぞれ自動ロック機構付きプッシュホックを用いる場合の説明図である。
【発明を実施するための形態】
【００１８】
以下、本発明の実施の形態を図面に沿って説明する。
（実施形態１）
図１は本発明の一実施の形態である尿吸収パッド保持カバーを示す正面図、図２は前記尿吸収パッド保持カバーにおいて前側部分を開放した状態の正面図である。
【００１９】
図１および図２に示すように、尿吸収パッド保持カバー１は、尿吸収パッド２を着用するのに用いられるもので、トランクス形状を基本形状とし、カバー本体３と、スライダーを移動させることで務歯を噛み合わせたりかみ合わせを解除させたりすることができる左側および右側ファスナー４，５（結合手段）とを有する。
【００２０】
カバー本体３は、使用者の前側部分を覆う第１部分３Ａと、使用者の後側部分および前側部分側部を覆う第２部分３Ｂとを有し、それらは下側中央部分で連続して繋がって一体となっている。そして、第１部分３Ａの下側中央部分から第２部分３Ｂの下側中央部分にかけて尿吸収パッド２を配置できるようになっている。また、第１部分３Ａおよび第２部分３Ｂの上側部分には、前側および後側弾性伸縮部３Ｃ，３Ｄが設けられ、通常のトランクスと同様に使用者の腰回りに合わせた大きさに伸縮するようになっている。
【００２１】
第１部分３Ａの左側縁と第２部分３Ｂの左側縁との間および第１部分３Ａの右側縁と第２部分３Ｂの右側縁との間が、弾性伸縮部３Ｃ，３Ｄの部分も含めて、左側および右側ファスナー４，５によって、突き合わせ状態で結合される。ここで、ファスナー４，５が、突き合わせ状態で結合可能である結合手段として用いられている。そして、使用者が着用した状態では、ファスナー４，５によって第１部分３Ａの両側縁と第２部分３Ｂの両側縁とが突き合わせ状態で、重ね合わせ部分なく結合され、所定のトランクス形状となり、上部に腰部周り開口部Ａが、下部であって前記下側中央部分の両側に２つの脚周り開口部Ｂ，Ｂがそれぞれ形成されている。
【００２２】
よって、内部に尿吸収パッド２を所定の位置に保持しているものの、通常のトランクスパンツを着用しているのと同様に見える。特に、ファスナー４，５で結合することでトランクス形状としているので、従来のパッド保持カバーのように、前側部分において部分的に重ね合わせて、面ファスナーなどを利用して結合するものとは異なり、使用者の前側部分（特に腹部付近）が大きく膨れることもない。よって、パッド保持カバー１を着用後、その上側にスラックスなどの洋服を着用しても、腹部付近があまり膨れて見えず（つまりパッド保持カバー１を着用しているようには見えず）、着衣状態での見栄えがよい。
【００２３】
一方、使用者に新たに尿吸収パッド２を着用させたり、尿吸収パッド２を交換したりする場合には、図２に示すように、ファスナー４，５のスライダーを下に引き下げて結合を解除すれば、第１部分３Ａと第２部分３Ｂとを分離させて広げることができるので、通常のおしめカバーなどと同様に、広げた状態で新たな尿吸収パッド２の着用や交換を容易に行うことができる。第１部分３Ａは、使用者の前側部分（特に中央部分）に対して設けられているだけであるので、第１部分３Ａと第２の部分３Ｂとの結合を解除すれば、第２部分３Ｂを使用者のお尻側に当てた状態で使用者の脚の間に第１部分３Ａを無理なく位置させることができる。よって、使用者が立った状態であっても寝ている状態であっても、結合を解除された第１部分３Ａが、尿吸収パッド２の着用や交換を妨げることもない。
【００２４】
なお、カバー本体３は、防水性を有する素材とすることができるのはもちろん、通常の布（下着に用いられている布）で形成するようにすることも可能である。通常、尿吸収パッド２に尿漏れ防止対策が施されているからである。また、部分的に防水構造を採用することも可能である。
【００２５】
そして、尿吸収パッド保持カバー１を用いて尿吸収パッド２を、使用者が着用する場合あるいは使用者に着用させる場合には、まず、両ファスナー４，５のスライダーを下ろし、第１部分３Ａの左側縁と第２部分３Ｂの左側縁との結合および第１部分３Ａの右側縁と第２部分３Ｂの右側縁との結合を解除し、第１部分の両側縁はフリーとなる。それから、第２部分３Ｂを使用者のお尻側に当てた状態で、尿吸収パッド保持カバー１に対し尿吸収パッド２を所定の位置に保持させた状態で、第１部分３Ａを使用者の股の間を潜らせながら、使用者のお腹の前側まで持ち上げる。このような作業は、使用者が立った状態であっても寝ている状態であっても可能である。
【００２６】
それから、お腹の両側に位置することになるファスナー４，５のスライダーをそれぞれ引き上げ、第１部分３Ａの左側縁と第２部分３Ｂの左側縁とを結合するとともに第１部分３Ａの右側縁と第２部分３Ｂの右側縁とを結合し、トランクス形状とする。これにより、尿吸収パッド２が尿吸収パッド保持カバー１を用いて、使用者が無理なくかつ簡単に着用したり、使用者に対し無理なくかつ簡単に着用させたりすることができる。
【００２７】
また、図１および図２に示すパッド保持カバーは、第１部分３Ａおよび第２部分３Ｂの上側部分には、弾性伸縮部３Ｃ，３Ｄを設けているが、図３および図４に示すように、第１部分３Ａおよび第２部分３Ｂの上側部分に筒状の前側および後側保持部３Ｅ，３Ｆを設け、帯を利用して使用者の着装を安定させることも可能である。
（実施形態２）
図３は他の尿吸収パッド保持カバーについての図１と同様の図、図４は前記尿吸収パッド保持カバーにおいて第１部分を開放した状態の正面図である。この実施形態２では、カバー左右側部に、ファスナーによる結合部分を設けている。
【００２８】
図３および図４に示すように、使用者の前側部分を覆う第１部分３Ａ’と使用者の後側部分を覆う第２部分３Ｂ’の上側部分に筒状の前側および後側保持部３Ｅ，３Ｆがそれぞれ形成され、前側および後側保持部３Ｅ，３Ｆに、左右両側において結ぶことによって結合可能である前側および後側帯６，７が保持されている。前側および後側帯６，７の長さを調整して結ぶことで、上部に形成される腰部周り開口部を、使用者の腰回りのサイズに合わせた大きさとすることができる。
【００２９】
ファスナー４’，５’は左右両側に設けられ、着装状態ではファスナー４’，５’のスライダーを上止めまで引き上げた状態であるが、その状態では前側帯６あるいは後側帯７の結合部分（結び目）によって前記上止めおよびスライダーが覆われることになる。これにより、一見してファスナー４’，５’で結合しているようには見えず、着衣状態での見栄えを損ねないようになっている。ここで、ファスナー４’，５’は、鍵がないとファスナーを開くことができないロック機能付きのファスナー（スライダーに引き手がなく、スライダーに鍵を適用してスライダーを移動させるもの）である。
【００３０】
この場合にも、ファスナー４’，５’で結合することでトランクス形状としているので、部分的に重ね合わせ、面ファスナーなどを利用して結合する従来のものと異なり、着装状態で使用者の前側部分（腹部付近）が大きく膨れることもなく、カバー着装状態での見栄えがよい。
【００３１】
また、実施形態１のように弾性伸縮部で腰部周り開口部の大きさの調整をするのではなく、帯６，７の長さを調整してそれらの端部を結ぶことで着用するので、使用者の腰部回りのサイズに応じて腰部周り開口部の大きさを調整できる範囲を広く確保できる。
【００３２】
また、結合手段としてロック機能付きのファスナー４’、５’を用いているので、痴呆症の高齢者などに使用しても、鍵がないとファスナーを開くことができないので、いわゆる拘束服などを着用させなくても、使用者が勝手にパッド保持カバーを取り外すことができない。
【００３３】
なお、本明細書で使用している用語と表現は、あくまでも説明上のものであって、なんら限定的なものではなく、本発明の技術思想の範囲内で、種々の変形態様が可能であるこということはいうまでもない。例えば、次のように変更して実施することができる。
【００３４】
(i)弾性伸縮部３Ｃ，３Ｄは、全周にわたって伸縮する必要はなく、一部分のみ伸縮機能を有するようにしてもよい。
【００３５】
(ii)結合手段としてのファスナーは、使用目的に応じて、通常のファスナーとすることもできるし、ロック機能付きのファスナーとすることもできる。よって、例えば、実施形態１のファスナーをロック機能付きファスナーとしたり、実施形態２のファスナーを通常のファスナーとすることもできるのはもちろんである。
【００３６】
(iii)実施形態２において、ロック機能付きのファスナー４’，５’に代えて、通常のファスナー４，５とともに、自動ロック機構付きのプッシュホック１２を用いることも可能である。この場合は、前側および後側帯の長さを調整した後、例えば図５（ａ）に示すようにファスナー４（または５）のスライダーを上止めまで引き上げた状態で、前側保持部３Ｅに取り付けられている舌状片１１にて前記上止めおよびスライダーを覆い、その状態で、図５（ｂ）に示すように、舌状片１１の先端部分のホック雄部１２Ａを後側保持部３Ｆ上のホック雌部１２Ｂに嵌め込むようにすればよい。このようにすれば、プッシュホック１２のホック雄部１２Ａとホック雌部１２Ｂとを嵌合させた状態ではホック雄部１２Ａの中央部（図５（ｂ）の中央の黒い部分）を押さないと、それらの嵌合のロック状態が解除できないので、ファスナー４のスライダーを下げることができない。そのほか、舌状片を、前側保持部３Ｅではなく、後側保持部３Ｆに取り付けるようにしてもよいし、また、舌状片を前側および後側保持部３Ｅ，３Ｆに取り付けることなく、舌状片の両端に前記ブッシュホックのホック雄部を有する別体とし、ファスナーのスライダーを上止めまで引き上げた状態でそれらを覆い、舌状片両端のホック雄部を前側および後側保持部それぞれのホック雌部に嵌合させるようにするようにしてもよい。
【００３７】
(iv)結合手段（ファスナー）が設けられる部位は、特に制限されず、腰部周り開口部の左側部分と左の足回り開口部とを結ぶ１つの分割部位と、腰部周り開口部の右側部分と右の足回り開口部とを結ぶもう１つの分割部位とがあればよい。
【００３８】
(v)前側および後側保持部３Ｅ，３Ｆは、筒状ではなく、環状のものを複数設けて形成するようにしてもよい。また、保持部に保持されるのは、帯に代えて、紐とすることもできる。
【００３９】
(vi)尿吸収パッド保持カバーの基本形状は、トランクス形状のほか、ブリーフ形状であってもよい。
【符号の説明】
【００４０】
１    尿吸収パッド保持カバー
２    尿吸収パッド
３    カバー本体
３Ａ，３Ａ’    第１部分
３Ｂ，３Ｂ’    第２部分
３Ｃ    前側弾性伸縮部
３Ｄ    後側弾性伸縮部
３Ｅ    前側保持部
３Ｆ    後側保持部
４，４’    左側ファスナー
５，５’    右側ファスナー
６    前側帯
７    後側帯
１１    舌状片
１２    プッシュホック
１２Ａ    ホック雄部
１２Ｂ    ホック雌部
【図１】
2014117352.tif 000003
【図２】
2014117352.tif 000004
【図３】
2014117352.tif 000005
【図４】
2014117352.tif 000006
【図５】
2014117352.tif 000007